(57)【要約】【課題】緩衝性と断熱性が高く低コストで使用後の処分が容易である。【解決手段】ヘルメットの帽体の内面にヘッドバンドとハンモックを取付け、その内側に断熱性シート１０を押し込んで装着する。断熱性シート１０は、合成樹脂製の二枚の気泡シート１４をキャップ１７ａを外側にして背中合わせに貼り合わせ、これを合成樹脂製の不織布１５で挟んだ状態で熱溶着した。【選択図】  図５
2007313706.tif 000002
【特許請求の範囲】
【請求項１】
合成樹脂製の気泡シートの両面を合成樹脂製の不織布で挟んで熱溶着してなる断熱性シート。
【請求項２】
前記気泡シートは基部シートに空気を内包した多数のキャップを突出させてなり、前記基部シート同士を当接させることで二枚の前記気泡シートを背中合わせにして熱溶着してなる請求項１に記載の断熱性シート。
【請求項３】
前記断熱性シートには気泡シートと不織布を熱溶着した折り目が形成されている請求項１または２に記載の断熱性シート。
【請求項４】
前記気泡シートはポリエチレンからなり、前記不織布はポリエステルからなる請求項１乃至３のいずれかに記載の断熱性シート。
【請求項５】
請求項１乃至４のいずれかに記載の前記断熱性シートを帽体の内面に取付けてなることを特徴とする帽子。
【発明の詳細な説明】
【技術分野】
【０００１】
本発明は、帽子等、例えばヘルメットの本体内面に取付けて断熱性と緩衝性を発揮するようにした断熱性シート及びこの断熱性シートを取付けた帽子に関する。
【背景技術】
【０００２】
従来、建設現場や一部の工場等では作業員等の安全のためにヘルメットを装着することを義務づけている。夏場等に野外で作業すると太陽熱のためにヘルメットが暖められ、ヘルメットを通して作業員の頭部を熱するために蒸れたりして体調に悪影響を与え、作業の効率を落としていた。また、工場等の作業環境や作業内容によっては高温や高湿度の環境下で作業を行うために季節を問わず、上述したようにヘルメット内の頭部が蒸れたり、熱かったりする状況が生じるために、同様に体調への悪影響や作業能率の低下等を起こしていた。また、通常の帽子であっても同様に夏場の直射日光等によって頭部が蒸れたりすることがあった。
このような不具合を改善する提案として例えば特許文献１に記載の冷却帽が提案されている。この冷却帽は、帽子の内面に断熱シートからなる断熱インナーキャップを取付けている。断熱シートは、アルミニウム等の金属箔と独立気泡型のウレタンフォームとを重合し、ウレタンフォームの内側に補強用の合成繊維布を接着している。
【０００３】
また、特許文献２に記載のヘルメット用断熱具は、気泡性緩衝シートの表裏両面にアルミシートを貼着したものであり、この断熱具を人間の頭部に適合するように成型してヘルメットの内面に装着している。
この種の断熱具としては、特許文献２とは別に特許文献３に記載の気泡シート断熱材が提案されている。この気泡シート断熱材は、透明性の高いポリエチレン製で内部に気泡を封じ込めた多数のキャップ状の膨らみを有するキャップフィルムを平坦なバックフィルムと貼り合わせた気泡シートを２枚設け、アルミニウムの蒸着層を有するプラスチックフィルムを間に挟んで貼り合わせた積層構造を有している。このような気泡シート断熱材は主に建築材料として断熱材に用いられる。
【特許文献１】特開２０００−８２１７号公報
【特許文献２】特開２００６−３７２５３号公報
【特許文献３】特開２００１−６５７８４号公報
【発明の開示】
【発明が解決しようとする課題】
【０００４】
しかしながら、特許文献１に記載の断熱シートは、アルミニウム等の金属箔とウレタンフォームという異種の材料を接合して用いているために、製造コストが高く、廃棄時には分別しなければならないために廃棄処理が煩雑であった。また特許文献２に記載の断熱具も異種材料であるアルミシートとプラスチック製の気泡性緩衝シートとを接合してなるため、同様の不具合があった。また、特許文献３に記載の気泡シート断熱材も、プラスチック製の気泡シートにアルミニウム層を貼り合わせた構造であるため、特許文献１、２と同様の欠点を有している。
本発明は、このような実情に鑑みて、断熱性と緩衝性を有していて低コストで使用後の処分の容易な断熱性シート及びこれを備えた帽子を提供することを目的とする。
【課題を解決するための手段】
【０００５】
本発明による断熱性シートは、合成樹脂製の気泡シートの両面を合成樹脂製の不織布で挟んで熱溶着してなることを特徴とする。
本発明による断熱性シートは、内部に気泡シートを収納しているために断熱性と緩衝性があり、表裏両面が合成樹脂製の不織布であるために通気性がある上に肌触りが良くフィット感があるから、ヘルメット等の帽子やその他身体等に接触する断熱材や緩衝材として好適である。しかも、気泡シートと不織布が同種の材質でありアルミシート等の金属材料を使用していないから、廃棄処分やリサイクルに際しては分別処理の必要がなく処分に手間がかからず、低コストで絶縁性が高い。
【発明の効果】
【０００６】
本発明による断熱性シートは、断熱性と緩衝性を有すると共に表面が不織布であるために通気性とフィット感があるから、身体等に接触する断熱材や緩衝材として好適である。しかも気泡シートと不織布がいずれも合成樹脂製であるから、製造コストが比較的低廉であり、廃棄に際しては分別の必要がなく、絶縁性が高く電気に対する安全性も高い。
【発明を実施するための最良の形態】
【０００７】
本発明による断熱性シートは、基部シートに空気を内包した多数のキャップを突出させてなり、基部シート同士を当接させることで二枚の気泡シートを背中合わせに熱溶着してなることが好ましい。
断熱性シートの表裏両面が不織布で覆われていても、内側の気泡シートは両面にそれぞれ多数のキャップが突出しているために、表裏いずれを身体等への接触面としても緩衝性が良い。
また、断熱性シートには気泡シートと不織布を熱溶着した折り目が形成されていてもよく、ヘルメット内面等の被装着面に断熱性シートを装着する際に、被装着面の形状に倣って変形させて取付けることができる。
また、気泡シートはポリエチレンからなり、不織布はポリエステルからなることが好ましく、この場合には気泡シートと不織布を重ねた状態での熱溶着が容易である。
【０００８】
本発明による帽子は、請求項１乃至４のいずれかに記載の上述した断熱性シートを内面に取付けてなることを特徴とする。
ヘルメット等の帽子内面に断熱性シートを装着することで、頭部に装着した際、帽子本体に対して断熱性を有すると共に頭部に対して緩衝性があり、表面が不織布であるために通気性とフィット感がある。しかも気泡シートと不織布が同種の材質であるから、断熱性シートを廃棄処分する際に分別することなく処理でき、絶縁性が高く安全性も高い。本発明は帽子用断熱性シートとして好適である。
【実施例】
【０００９】
以下、本発明の実施例による断熱性シートを備えたヘルメットについて添付図面により説明する。
図１乃至図６は本発明の第一実施例を示すものであり、図１はヘルメットの帽体内に挿入するヘッドバンド及びハンモックと断熱性シートとを示す分解斜視図、図２は断熱性シートを帽体に装着した状態の平面図、図３は同じく縦断面図、図４は断熱性シートの平面図、図５は図４に示す気泡シートのＡ−Ａ線縦断面図、図６は断熱性シートの縦断面図である。
図１乃至図３に示すヘルメット１は略半球状の帽体２とその一端から突出する庇部３とを備えている。帽体２の内面には略リング状のヘッドバンド４が内周寸法を調整可能に形成され、ヘッドバンド４は庇部３とは反対側領域が途中でバンドが二段に分かれている。ヘッドバンド４にはハンモック５が着脱可能に連結されている。ハンモック５は作業者の頭頂部が着座する頂部５ａと頂部５ａから略９０°間隔に略十字状に延びる４本のバンド部５ｂ、…とを備え、各バンド部５ｂは長手方向途中部分でその内面に設けた係止部５ｃでヘッドバンド４に係止されている。各バンド部５ｂの先端外面にはヘルメット１の内面に略９０°間隔で形成された係合受け部７に係合可能な係合部８がそれぞれ設けられている。
ヘッドバンド４及びハンモック５の内面には断熱性シート１０が着脱可能に設けられている。
【００１０】
次に断熱性シート１０について図４乃至図６により説明する。
断熱性シート１０は図４に示すように平面視略円形または楕円形状に形成され、その周方向には所定間隔で略Ｖ字形状の切り込み部１１が複数(図では４本)形成され、切り込み部１１の内奥部は切れ目が進むのを防止すべき円形孔１１ａが穿孔されている。そして断熱性シート１０の左右両側には例えば略半楕円形状の一対の耳部１２、１２が形成されている。各耳部１２と各切り込み部１１とを含む断熱性シート１０の全周は熱溶着による溶着部１３が所定幅で連続して形成され、周縁部が密封されている。特に耳部１２は全体が熱溶着されている。
断熱性シート１０は図５に示すように合成樹脂からなる一対の気泡シート１４、１４とその表裏両面を覆う合成樹脂からなる不織布１５、１５とで構成されている。即ち、気泡シート１４は図６に示すように平坦な基部シート１６上に、空気が封入された略半球状または断面略台形状のキャップ１７ａが微細な間隔で個々に独立して多数形成されてなるフィルムシート１７が熱溶着されて一体化されてシート状に形成されている。
そして断熱性シート１０は二枚の気泡シート１４、１４を基部シート１６、１６で背中合わせに当接させ、その表裏両面に合成樹脂製の不織布１５、１５を重ねた状態で、全周縁部を熱溶着して上述した溶着部１３を形成している。
【００１１】
気泡シート１４を構成する基部シート１６及びフィルムシート１７としての合成樹脂は例えばポリエチレンを用い、不織布１５を構成する合成樹脂は例えばポリエステルを用いる。気泡シート１４と不織布１５は合成樹脂からなる同系統の材質であるため、熱溶着が確実で接着剤が不要であり、しかも廃棄に際して分別する必要がない。なお、気泡シート１４と不織布１５の両方をポリエチレンまたはポリエステル等の同一材質で製造してもよい。
また、気泡シート１４の各キャップ１７ａは大きすぎると帽体２の内面に装着する際に凹曲面状に湾曲させるのが困難になり、ヘルメット１を被った際に頭部に違和感を感じる不具合がある。そのため、キャップ１７ａは例えば直径５〜１０ｍｍ、高さ４ｍｍ程度の略半球状に形成するのがよい。
断熱性シート１０を製造するには、二枚の気泡シート１４、１４を基部シート１６、１６で背中合わせにした上でその表裏両面に不織布１５、１５を重ねた状態で、図４に示す所定形状に型抜き切断する。そして、全周縁部を熱溶着すればよいため、熱処理は１工程で済む
【００１２】
本実施例によるヘルメット１及び断熱性シート１０は上述の構成を備えており、ヘルメット１を作業者等が被る際に、ヘルメット１の帽体２の内面にヘッドバンド４及びハンモック５を連結した状態で挿入し、ハンモック５の４本のバンド部５ｂにそれぞれ設けた係合部８を帽体２の内面の係合受け部７に係合させる。これによって、ヘッドバンド４及びハンモック５を帽体２の内面に装着できる。そして、その内側に断熱性シート１０を押し込む。
その際、図２及び図３に示すように、断熱性シート１０には切り込み部１１が設けられているために、各切り込み部１１が互いに接触するように内側に湾曲または折り曲げることで帽体２の内面やハンモック５の形状に倣った略凹曲面状に形成して押し込むことができる。この状態で、両側の耳部１２，１２を係止部としてヘッドバンド４と帽体２の内面との間に差し込む等することで係止できる。
断熱性シート１０は軽量であるため、厳密に帽体２やヘッドバンド４等に係止しなくても落下しにくい。しかも、帽体２の内面が深くても浅くても断熱性シート１０を被着面の形状に倣って装着できる。
そして作業者が頭部にヘルメット１を被ればよい。
【００１３】
上述のように本実施例によるヘルメット１の断熱性シート１０によれば、頭部にヘルメット１を装着した状態で、頭部とハンモック５及び帽体２との間に断熱性シート１０が位置することで緩衝性と断熱性を発揮でき、更に表面が不織布１５であるために通気性が良くて蒸れにくいと共に装着時のフィット感や感触がよい。しかも、断熱性シート１０は二枚の気泡シート１４、１４の各キャップ１７ａがそれぞれ外側に向いているために表裏いずれの面を内側にしても頭部に緩衝性を与えることができる。
更に断熱性シート１０は気泡シート１４と不織布１５がいずれも合成樹脂製であるために、表面にアルミシートを用いた従来のものと比較して低コストである上に絶縁性が高く、電気工事等の現場でも安全性が高い。しかも断熱性シート１０の廃棄処分やリサイクル処理に際して気泡シート１４と不織布１５が同種の材質からなるために分別することなく一緒に廃棄やリサイクル処理することができて便利である。
また、断熱性シート１０の製造に際しても、加熱による溶着は１工程で済むため熱による素材に与える悪影響を最小限に留めることができる。
【００１４】
次に本発明の第二実施例を図７により説明するが、上述の第一実施例による断熱性シート１０と同一または同様な部材、部分には同一の符号を用いて説明を省略する。
図７に示す断熱性シート２０は第一実施例による断熱性シート１０と同一の構成を有しており、内部に背中合わせに設けた一対の気泡シート１４，１４を配置し、その表裏両面に不織布１５，１５を重ねて周縁部を熱溶着して溶着部１３としている。
そして本実施例では、各切り込み部１１の円形孔１１ａ同士をつなぐように線状の折り目溶着部２１を形成し、折り目溶着部２１の部分で４枚の気泡シート１４及び不織布１５を一体に熱溶着している。これら折り目溶着部２１は図７に示すように略四角形に形成され、帽体２の内面に押し込む際に折り目になる。
これによって、断熱性シート２０は帽体２及びハンモック５の内面側に押し込む際に各折り目溶着部２１で四方を折り曲げられ、帽体２の内面に沿って略四角錐形状に装着され定形性が高い。
この構成によれば、断熱性シート２０を帽体２の内面に装着する際に一定形状で略屈曲または湾曲形成されるために、帽体２の内部で断熱性シート２０がずれたりしわになったりすることなく定形性を以て装着できる。
【００１５】
なお、上述の各実施例では、断熱性シート１０、２０に設ける気泡シート１４は平坦な基部シート１６を背中合わせにして二枚貼り合わせたり当接したりしたが、不織布１５で包み込んで封止する気泡シート１４は一枚でもよい。この場合、頭部側にキャップ１７ａが位置するように不織布１５等の断熱性シート１０の表面に表裏の別を表示しておくことが好ましい。
また、断熱性シート１０，２０に四つの切り込み部１１を設けたが、切り込み部１１の数は任意である。或いは切り込み部１１を設けなくてもよい。
断熱性シート１０，２０は耳部１２、１２によってヘッドバンド４に挟み込むようにしたが、ヘッドバンド４やハンモック５等に貼着したり係止するようにしてもよい。
なお、帽体２の内面に直接断熱性シート１０，２０を貼る等して取付けてもよく、このようなヘルメットは通学用ヘルメット等に好適である。
また、ハンモック５のバンド部５ｂは４本に限定されることなく８本等任意の数のものを採用できることはいうまでもない。また、本発明による断熱性シートはヘルメット１に限定されることなく他の各種の帽子等、特に身体等に接触するものに装着できる。
【図面の簡単な説明】
【００１６】
【図１】本発明の第一実施例による断熱性シートを備えたヘルメットの分解斜視図である。
【図２】断熱性シートを帽体内に装着した状態の平面図である。
【図３】断熱性シートを帽体内に装着したヘルメットの概略縦断面図である。
【図４】断熱性シートの平面図である。
【図５】図４に示す断熱性シートのＡ−Ａ線縦断面図である。
【図６】気泡シートの縦断面図である。
【図７】本発明の第二実施例による断熱性シートの平面図である。
【符号の説明】
【００１７】
１  ヘルメット
２  帽体
５  ハンモック
１０  断熱性シート
１２  耳部
１４  気泡シート
１５  不織布
１６  基部シート
１７ａ  キャップ
【図１】
2007313706.tif 000003
【図２】
2007313706.tif 000004
【図３】
2007313706.tif 000005
【図４】
2007313706.tif 000006
【図５】
2007313706.tif 000007
【図６】
2007313706.tif 000008
【図７】
2007313706.tif 000009